(57)【要約】【課題】ＩｒＳＳ等の赤外線通信においてはデータの送受信を開始する際には、受信側の電子機器を受信可能状態にしておくことが必要であり、通常はユーザがその都度、受信の設定をしていた。また、データを受信して保存する処理と受信したデータをディスプレイ等へ表示する処理は別々に行なわれ、通常はユーザが操作ボタン等を操作することにより行なわれていたため不便であった。【解決手段】動作中は省電力モードであっても待受け状態を維持する高速赤外線用受信部を備え、高速赤外線用受信部にて受信があった場合には受信した伝送方式がＩｒＳＳ方式であるか判断し、ＩｒＳＳ方式であった場合には所定の処理を実行するように他の部を制御することを特徴とする記録再生装置を提案する。【選択図】図１
2008193170.tif 000002
【特許請求の範囲】
【請求項１】
動作中は省電力モードであっても待受け状態を維持する高速赤外線用受信部と、
前記高速赤外線用受信部にて受信があった場合には受信した伝送方式がＩｒＳＳ方式であるか判断する方式判断部と、
方式判断部での判断結果がＩｒＳＳ方式であるとの判断結果である場合には、所定の処理を実行するように他の部を制御する制御部と、
を有する記録再生装置。
【請求項２】
高速赤外線用受信部にて受信したデータを表示するために出力する出力部と、
出力部から受信したデータを出力させることができるか所定のルールに従って判断する出力可否判断部と、を有し、
制御部は、所定の処理として前記所定のルールに従った判断を出力可否判断部に実行させる制御をするように構成されている請求項１に記載の記録再生装置。
【請求項３】
制御部は、出力可否判断部での判断結果が受信したデータを出力させることができるとの判断結果である場合には出力部に受信したデータを出力させる制御をするとともに、出力先が外部出力装置である場合には外部出力装置に対して所定の制御命令を出力するように構成されている請求項２に記載の記録再生装置。
【請求項４】
報知情報を出力するための報知部を有し、
制御部は、方式判断部での判断結果がＩｒＳＳ方式であるとの判断結果である場合には、実行する第一の所定の処理を示すために第二の所定の処理として報知部に対してその旨を示す報知情報を出力させる制御をするように構成されている請求項１から３のいずれか一に記載の記録再生装置。
【請求項５】
第一の所定の処理が外部出力装置のディスプレイ起動と他の処理であり、第二の所定の処理が前記起動されたディスプレイにて少なくとも他の処理が実行されることを示す報知情報を表示するための報知部からの報知情報の出力である場合には、第一の所定の処理によって外部出力装置の画面が表示可能状態になるために必要とされる遅延時間継続して報知情報が報知部から出力され続けるように報知部を制御するように構成されている請求項４に記載の記録再生装置。
【請求項６】
動作中は省電力モードであっても待受け状態を維持する高速赤外線用受信部を有する記録再生装置の動作方法であって、
前記高速赤外線用受信部にて受信があった場合には受信した伝送方式がＩｒＳＳ方式であるか判断する方式判断ステップと、
方式判断ステップでの判断結果がＩｒＳＳ方式であるとの判断結果である場合には、所定の処理を実行するように他の部を制御する制御ステップと、
を有する記録再生装置の動作方法。
【発明の詳細な説明】
【技術分野】
【０００１】
赤外線通信によりデータを常時受信可能な記録再生装置であって、受信した赤外線がＩｒＳＳ（ＩｒＳｉｍｐｌｅＳｈｏｔ）方式であった場合には、自動的に所定の処理を実行する記録再生装置に関する。
【背景技術】
【０００２】
近年、携帯電話、デジタルカメラ、ディスプレイなどの電子機器において赤外線通信ＩｒＳｉｍｐｌｅによってデータの送受信を行なうことが可能となっており、例えば携帯電話でカメラ撮影した画像をディスプレイに転送して表示させること等ができる（非特許文献１、非特許文献２）。赤外線通信は無線通信であるので、従来のように通信ケーブルを接続したりせずとも簡単にデータ転送ができる。また、これらの電子機器においてはＩｒＳｉｍｐｌｅ準拠の片方向通信機能であるＩｒＳｉｍｐｌｅＳｈｏｔ（以下、「ＩｒＳＳ」と表記）でもデータの送受信ができるようになっているのが一般的である。
【非特許文献１】シャープ株式会社、"ＦＯＭＡ  ＳＨ９０２ｉＳ"、［online］、シャープ株式会社、［平成１９年１月２２日検索］、インターネット<URL：http://k-tai.sharp.co.jp/products/d/sh902is/>
【非特許文献２】ファイル・ウェブ編集部  風間氏、"<CES2007：シャープ>108型やネットワーク対応など"AQUOS"の進化を加速"、［online］、株式会社音元出版、［平成１９年１月２２日検索］、インターネット<URL：http://www.phileweb.com/news/d-av/200701/09/17453.html/>
【発明の開示】
【発明が解決しようとする課題】
【０００３】
しかしながら、ＩｒＳｉｍｐｌｅやＩｒＳＳにおいてはデータの送受信を開始する際には、受信側の電子機器を受信可能状態にしておくことが必要であり、通常はユーザがその都度、受信の設定をしていた。特にＩｒＳＳは送信側から一方的にデータを送信する片方向通信方式であり、送信側では実際にデータが受信されたかどうかを判断できないため、なおさらであった。また、データを受信して保存する処理と受信したデータをディスプレイ等へ表示する処理は別々に行なわれ、通常はユーザが操作ボタン等を操作することにより行なわれていたため不便であった。
【課題を解決するための手段】
【０００４】
そこで本発明においては、動作中は省電力モードであっても待受け状態を維持する高速赤外線用受信部を備え、高速赤外線用受信部にて受信があった場合には受信した伝送方式がＩｒＳＳ方式であるか判断し、ＩｒＳＳ方式であった場合には所定の処理を実行するように他の部を制御することを特徴とする記録再生装置を提案する。また、所定の処理として、ディスプレイ等の出力部から受信したデータを出力させることができるか所定のルールに従って判断する処理を実行させる制御を行なうようになっていてもよい。さらに、受信したデータを出力させることができる場合には出力部に受信したデータを出力させ、出力先が外部出力装置である場合には外部出力装置に対して所定の制御命令を出力するように構成されていてもよい。さらに、伝送方式がＩｒＳＳ方式である場合には、実行する第一の所定の処理を示すために第二の所定の処理としてその旨を示す報知情報を出力させる制御を行なうようになっていてもよい。また、第一の所定の処理が外部出力装置のディスプレイ起動と他の処理であり、第二の所定の処理が前記起動されたディスプレイにて少なくとも他の処理が実行されることを示す報知情報を表示するための報知情報の出力である場合には、第一の所定の処理によって外部出力装置の画面が表示可能状態になるために必要とされる遅延時間継続して報知情報が出力され続けるように制御するようになっていてもよい。
【０００５】
図１は、本発明に係る記録再生装置の概念図を示す。記録再生装置（０１０１）は高速赤外線用受信部（０１０２）を備え、携帯電話等（０１０３）の高速赤外線通信が可能な電子機器から画像ファイル等のデータを受信する。なお、記録再生装置（０１０１）では常時、高速赤外線用受信部（０１０２）にてデータが受信可能な状態になっている。受信したデータはユーザが操作をしなくとも自動的にディスプレイ（０１０４）に表示する等の処理が行なわれる。
【発明の効果】
【０００６】
本発明の記録再生装置によれば、常に高速赤外線通信によるデータの受信が可能であり、データを受信すると自動的にデータを表示する等の処理を実行するため、従来のように、ユーザがデータを受信するための設定を行ない、さらにデータを受信後に表示等を行なうための操作をする必要がなく利便性に優れる。
【発明を実施するための最良の形態】
【０００７】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、６などについて説明する。実施形態２は、主に請求項２、３などについて説明する。実施形態３は、主に請求項４、５などについて説明する。
（実施形態１）
【０００８】
（実施形態１：概要）本実施形態は、動作中は省電力モードであっても待受け状態を維持する高速赤外線用受信部を備え、高速赤外線用受信部にて受信があった場合には受信した伝送方式がＩｒＳＳ方式であるか判断し、ＩｒＳＳ方式であった場合には所定の処理を実行するように他の部を制御することを特徴とする記録再生装置について説明する。
【０００９】
（実施形態１：構成）本実施形態に係る記録再生装置の機能ブロック図を図２に例示する。記録再生装置（０２００）は、「高速赤外線用受信部」（０２０１）と、「方式判断部」（０２０２）と、「制御部」（０２０３）と、を有する。
【００１０】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インターフェイス、周辺装置などで構成されるハードウェアと、それらハードウェア上で実行可能なソフトウェアがある。ソフトウェアとしては、メモリ上に展開されたプログラムを順次実行することで、メモリ上のデータや、インターフェイスを介して入力されるデータの加工、保存、出力などにより各部の機能が実現される。（明細書の全体を通じて同様である。）
【００１１】
「高速赤外線用受信部」（０２０１）は、高速赤外線通信のデータを受信する機能を有し、動作中は省電力モードであっても待受け状態を維持することを特徴とする。「高速赤外線」とは、ＩｒＳＳ方式にて伝送される赤外線を意味する。「省電力モード」とは、記録再生装置（０２００）の電源をＯＦＦする直前の状態をメモリ等へ保存しておき、再度、電源をＯＮにした時には保存しておいた電源ＯＦＦ直前の状態から作業を再開するモードであり、一般的に「待機モード」、「スタンバイモード」、「サスペンドモード」などとも言われるモードである。高速赤外線用受信部は記録再生装置がこのような省電力モードであっても常時受信待ち状態としておくことで、いつでも赤外線を受信できることが特徴である。ただし、記録再生装置（０２００）がバッテリーにより駆動している場合には、バッテリーの残電力が一定以下となった場合には高速赤外線用受信部の機能も停止する等の工夫がなされていてもよい。なお、高速赤外線用受信部は受信した赤外線をＩｒＳＳの仕様に基づいて解析し、解析したデータをメインメモリ等の所定の記憶領域に格納する。
【００１２】
「方式判断部」（０２０２）は、前記高速赤外線用受信部にて受信があった場合には受信した伝送方式がＩｒＳＳ方式であるか判断する。すなわち、画像データ等の送信したいデータが送信される前に伝送方式を表すデータが高速赤外線用受信部（０２０１）に対して送信され、当該データによって伝送方式を判断することとなる。図３は、ＩｒＳＳにおける通信手順を示した図であるが、送信側から受信側へＩｒＳＳにてデータを送信する場合には、最初にＯＢＥＸ（Ｏｂｊｅｃｔ  Ｅｘｃｈａｎｇｅ  Ｐｒｏｔｏｃｏｌ）プロトコルの"ＣＯＮＮＥＣＴ．ｒｅｑｕｅｓｔ"によって接続リクエストを行ない（０３０１）、その後、画像データ等のデータを送信する（０３０２）。データの送信が終了すると、ＯＢＥＸプロトコルの"ＤＩＳＣＯＮＮＥＣＴ．ｒｅｑｕｅｓｔ"によって切断リクエストを行ない（０３０３）、データ送信を終了する。伝送方式がＩｒＳＳであるか否かを判断する具体的な方法の一つとしては、最初の"ＣＯＮＮＥＣＴ．ｒｅｑｕｅｓｔ"が送られてきた際に下位の物理レイヤによって判断するという方法が挙げられる。また、図４は方式判断部において伝送方式を判断するための情報の一例を示す。「ｃｏｍ＿ｔｙｐｅ」は伝送方式を表すプログラム上の変数名であり、"ＣＯＮＮＥＣＴ．ｒｅｑｕｅｓｔ"の下位の物理レイヤによってＩｒＳＳ方式である場合には変数ｃｏｍ＿ｔｙｐｅの値として"ＩｒＳＳ"が設定される。図４では、変数ｃｏｍ＿ｔｙｐｅの値が"ＩｒＳＳ"であり伝送方式がＩｒＳＳ方式であることが示されている。この変数ｃｏｍ＿ｔｙｐｅの値が"ＩｒＳＳ"以外の値である場合には受信された赤外線はＩｒＳＳ方式ではないということになり、以上のように方式判断部は伝送方式がＩｒＳＳであるか否かを判断することができる。
【００１３】
「制御部」（０２０３）は、方式判断部での判断結果がＩｒＳＳ方式であるとの判断結果である場合には、所定の処理を実行するように他の部を制御する。「他の部」とは、主に制御部以外の部を指すが、他の処理機構であってもよい。「所定の処理を実行するように他の部を制御する」とは、例えば後述する出力部にデータの出力を実行させるよう制御したり、受信データの保存をさせるように制御したり、後述する出力可否判断部に判断処理を実行させるように制御する場合等が該当する。
【００１４】
図５は、制御部のハードウェア上における処理の具体例を示す。赤外線ポート（高速赤外線用受信部に該当）にて"ＯＢＥＸ  ＣＯＮＮＥＣＴ．ｒｅｑｕｅｓｔ"の下位の物理レイヤによって判断されて設定されたプログラム上の変数ｃｏｍ＿ｔｙｐｅの値がメインメモリ等に格納される（０５０１）。この変数ｃｏｍ＿ｔｙｐｅの値が"ＩｒＳＳ"であるか判断され、"ＩｒＳＳ"であった場合にはＣＰＵ（制御部に該当）にて制御命令（０５０２）が生成され、生成された制御命令によって他の処理機構を制御する。また、制御部はこのような処理を実行するためのプログラムを含んでいてもよい。なお、図５はハードウェア上の処理についての大まかな流れを示したものである。（明細書の全体を通じて同様である。）
【００１５】
（実施形態１：処理の流れ）図６は、本実施形態に係る記録再生装置における処理の流れを示すフロー図を例示する。
【００１６】
最初に、高速赤外線用受信部にて赤外線を受信したか判断する（Ｓ０６０１）。赤外線を受信していないとの判断であった場合には、この処理を繰り返す（すなわち、赤外線待受け状態となっている）。赤外線を受信したとの判断であった場合には、受信した伝送方式がＩｒＳＳ方式であるか判断する（Ｓ０６０２）。伝送方式がＩｒＳＳである場合には、制御部によって制御されることにより他の部にて所定の処理が実行される（Ｓ０６０３）。
【００１７】
なお、図６のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００１８】
（実施形態１：効果）本実施形態に係る記録再生装置によれば、記録再生装置は常時赤外線を受信可能な状態となっているためユーザが赤外線を受信するための設定を行なう手間が省ける。さらに、赤外線が受信され伝送方式がＩｒＳＳ方式である場合には処理の処理が自動的に実行されるため、ユーザが処理を実行するための操作等を行なう必要がなく利便性に優れるという効果がある。
（実施形態２）
【００１９】
（実施形態２：概要）本実施形態は、所定の処理として、出力部から受信したデータを出力させることができるか所定のルールに従って判断する処理を実行させる制御を行なうことを特徴とする記録再生装置について説明する。さらに、受信したデータを出力させることができる場合には出力部に受信したデータを出力させ、出力先が外部出力装置である場合には外部出力装置に対して所定の制御命令を出力することを特徴とする記録再生装置についても説明する。
【００２０】
（実施形態２：構成）本実施形態に係る記録再生装置の機能ブロック図を図７に例示する。記録再生装置（０７００）は、「高速赤外線用受信部」（０７０１）と、「方式判断部」（０７０２）と、「制御部」（０７０３）と、「出力部」（０７０４）と、「出力可否判断部」（０７０５）と、を有する。「出力部」（０７０４）と「出力可否判断部」（０７０５）以外の構成については前述した通りであるので、ここでの説明は省略する。
【００２１】
「出力部」（０７０４）は、高速赤外線用受信部にて受信したデータを表示するために出力する。「受信したデータを表示するために出力する」とは、記録再生装置に備えられているディスプレイ等へ出力する場合もあるが、外部の出力装置に表示出力するために入出力インタフェースから出力する場合等も該当する。図８は出力部における出力の具体例を示す。（ａ）は、記録再生装置（０８０１）がハードディスク内蔵のディスプレイであって、携帯電話等（０８０２）から送信されてきたデータが高速赤外線用受信部（０８０３）にて受信されディスプレイ（０８０４）に出力される場合を示している。この場合においては、ディスプレイ（０８０４）やディスプレイに出力するための処理機構などが出力部に該当する。また、（ｂ）は記録再生装置（０８０５）がＤＶＤレコーダ等の電子機器であって、携帯電話等（０８０６）から送信されてきたデータが高速赤外線用受信部（０８０７）にて受信され、記録再生装置（０８０５）に接続されている外部のディスプレイ（０８０９）に表示される場合を示している。この場合においては、ディスプレイ（０８０９）へ出力するための出力インタフェースなどの処理機構が出力部に該当する。
【００２２】
「出力可否判断部」（０７０５）は、出力部から受信したデータを出力させることができるか所定のルールに従って判断する。また、制御部（０７０３）は、所定の処理として前記所定のルールに従った判断を出力可否判断部に実行させる制御をするように構成されている。「出力部から受信したデータを出力させることが」できない場合とは、すでに出力部にて他のデータを出力しているような場合である。すなわち「所定のルール」とは、「出力部にてデータ出力中である場合には出力不可」、「操作部においてチャンネル切換え中は出力不可」、「操作部にてデータ再生動作中は出力不可」などのルールが想定される。もちろん、このようなルールは複数あってもよい。
【００２３】
また、制御部は、出力可否判断部での判断結果が受信したデータを出力させることができるとの判断結果である場合には出力部に受信したデータを出力させる制御をするとともに、出力先が外部出力装置である場合には外部出力装置に対して所定の制御命令を出力するように構成されていてもよい。「所定の制御命令」とは、例えば外部出力装置の電源がＯＦＦになっている場合には電源をＯＮにしたり、ディスプレイのコントラスト等の設定をするような制御命令が想定される。また、受信するデータが音声を含むデータである場合には音量の調節等がなされるような制御命令であってもよい。また、図９と図１０を用いて出力部のハードウェア上における処理の具体例を示す。図９は、記録再生装置に備えられているディスプレイ等へ出力する場合について例示する。図１０は、外部出力装置等へ出力する場合について例示する。
【００２４】
図９においては、ＣＰＵ（制御部）にて出力可否判断命令が生成されて実行される（０９０１）。ここでは出力可否判断命令として、ディスプレイにてすでに他のデータが出力されていないかを確認する場合を示している。また、この間、赤外線ポート（高速赤外線用受信部）に対して画像データ「ｆｉｇ０１．ｊｐｇ」が送られてくる場合には、受信したデータを順次メインメモリへ格納しておくようになっていると理想的である（０９０２）。また、出力可否判断命令による判断結果はメインメモリへ格納される（０９０３）。格納された判断結果が"出力可"を示す場合には、メインメモリへ格納されている画像データ「ｆｉｇ０１．ｊｐｇ」をＶＲＡＭ（Ｖｉｄｅｏ  ＲＡＭ）へ出力し（０９０４）、ディスプレイへ出力表示する（０９０５）。
【００２５】
図１０においては、ＣＰＵ（制御部）にて出力可否判断命令が生成されるが、外部出力装置にて受信データが出力されるため、例えば出力インタフェースを介して外部出力装置へ出力可否判断命令が出力され（１００１）、その返信として外部出力装置から自身の出力可否についての判断結果が受信されることでメインメモリに判断結果が格納される（１００３）。また、この間、赤外線ポート（高速赤外線用受信部）に対して画像データ「ｆｉｇ０１．ｊｐｇ」が送られてくる場合には、受信したデータを順次メインメモリへ格納しておくようになっていると理想的である（１００２）。メインメモリに格納された出力可否の判断結果が"出力可"を示す場合には、メインメモリへ格納されている画像データ「ｆｉｇ０１．ｊｐｇ」が出力インタフェースを介して外部出力装置へ出力される（１００４）。また、その際にＣＰＵにて生成された外部出力装置への制御命令も出力される（１００５）。
【００２６】
（実施形態２：処理の流れ）図１１は、本実施形態に係る記録再生装置における処理の流れを示すフロー図を例示する。
【００２７】
最初に、高速赤外線用受信部にて赤外線を受信したか判断する（Ｓ１１０１）。赤外線を受信していないとの判断であった場合には、この処理を繰り返す（すなわち、赤外線待受け状態となっている）。赤外線を受信したとの判断であった場合には、受信した伝送方式がＩｒＳＳ方式であるか判断する（Ｓ１１０２）。伝送方式がＩｒＳＳである場合には、受信したデータを出力することができるか所定のルールに従って判断する（Ｓ１１０３）。データを出力することができるとの判断結果である場合には出力部にて受信したデータを出力する（Ｓ１１０４）。さらに、出力先が外部出力装置である場合には外部出力装置に対して所定の制御命令を出力する（Ｓ１１０５）。
【００２８】
（実施形態２：効果）本実施形態に係る記録再生装置によれば、ＩｒＳＳ方式にて受信したデータは自動的にディスプレイ等へ出力されるため、従来のようにユーザが受信したデータを表示するための操作等をする必要がなく利便性に優れるという効果がある。また、外部出力装置にて出力する場合には制御命令を出力して外部出力装置を制御することができるため、例えば外部出力装置の電源がＯＦＦになっていてもデータを出力表示等することが可能である。
（実施形態３）
【００２９】
（実施形態３：概要）本実施形態は、伝送方式がＩｒＳＳ方式である場合には、実行する第一の所定の処理を示すために第二の所定の処理としてその旨を示す報知情報を出力させる制御を行なうことを特徴とする記録再生装置について説明する。さらに、第一の所定の処理が外部出力装置のディスプレイ起動と他の処理であり、第二の所定の処理が前記起動されたディスプレイにて少なくとも他の処理が実行されることを示す報知情報を表示するための報知情報の出力である場合には、第一の所定の処理によって外部出力装置の画面が表示可能状態になるために必要とされる遅延時間継続して報知情報が出力され続けるように制御することを特徴とする記録再生装置についても説明する。
【００３０】
（実施形態３：構成）本実施形態に係る記録再生装置の機能ブロック図を図１２に例示する。記録再生装置（１２００）は、「高速赤外線用受信部」（１２０１）と、「方式判断部」（１２０２）と、「制御部」（１２０３）と、「報知部」（１２０６）と、を有する。「報知部」（１２０６）以外の構成については前述した通りであるので、ここでの説明は省略する。
【００３１】
「報知部」（１２０６）は、報知情報を出力するための機能を有する。また、制御部は、方式判断部での判断結果がＩｒＳＳ方式であるとの判断結果である場合には、実行する第一の所定の処理を示すために第二の所定の処理として報知部に対してその旨を示す報知情報を出力させる制御をするように構成されている。「その旨」とは、第一の所定の処理に関する情報を指す。具体的には第一の所定の処理の処理内容、処理を実行中であること、等が想定されるが、さらに処理終了までの予測所要時間などであってもよい。すなわち、図１３に示すように、制御部（１３０１）によって処理機構Ａ（高速赤外線用受信部）（１３０２）が制御され第一の所定の処理としてデータの受信が行なわれているとすると、制御部（１３０１）は報知部（１３０３）を制御して第二の所定の処理として、処理機構Ａで実行されている第一の所定の処理（データ受信）についての報知情報を出力させるように制御する。また、報知情報の出力方法としては、画像データや文字データ等による表示出力であってもよいし、音声による出力であってもよい。また、これらを組み合わせたものであってもよい。
【００３２】
図１４は、報知部のハードウェア上における処理の具体例を示す。例えばＣＰＵ（制御部）にて高速赤外線用受信部に対する制御命令として受信命令（１４０１）が生成され高速赤外線用受信部が制御されることにより、受信データ「ｆｉｇ０１．ｊｐｇ」がメインメモリに格納される（第一の所定の処理）（１４０２）。次に、ＣＰＵ（制御部）にて報知部に対する制御命令として報知情報出力命令（１４０３）が生成され報知部が制御されることにより、ＶＲＡＭに"データを受信中です"等の報知情報が出力され、ディスプレイへ報知情報が出力される（第二の所定の処理）（１４０４）。
【００３３】
また、第一の所定の処理が外部出力装置のディスプレイ起動と他の処理であり、第二の所定の処理が前記起動されたディスプレイにて少なくとも他の処理が実行されることを示す報知情報を表示するための報知部からの報知情報の出力である場合には、第一の所定の処理によって外部出力装置の画面が表示可能状態になるために必要とされる遅延時間継続して報知情報が報知部から出力され続けるように報知部を制御するように構成されていてもよい。すなわち、外部出力装置の画面が表示可能状態になる前に報知情報の出力が終了することによって、結局、画面に報知情報が表示されないことになってしまうことを防ぐためである。
【００３４】
（実施形態３：処理の流れ）図１５は、本実施形態に係る記録再生装置における処理の流れを示すフロー図を例示する。
【００３５】
最初に、高速赤外線用受信部にて赤外線を受信したか判断する（Ｓ１５０１）。赤外線を受信していないとの判断であった場合には、この処理を繰り返す（すなわち、赤外線待受け状態となっている）。赤外線を受信したとの判断であった場合には、受信した伝送方式がＩｒＳＳ方式であるか判断する（Ｓ１５０２）。伝送方式がＩｒＳＳである場合には、制御部によって制御されることにより他の部にて第一の所定の処理が実行される（Ｓ１５０３）。次に、制御部によって制御されることにより報知部にて第二の所定の処理として第一の所定の処理を示す報知情報が出力される（Ｓ１５０４）。
【００３６】
（実施形態３：効果）本実施形態に係る記録再生装置によれば、ＩｒＳＳ方式にてデータを受信した場合には、制御部での制御により実行されている処理についての報知情報をディスプレイ等へ表示等することができる。また、第一の所定の処理が外部出力装置のディスプレイの起動であった場合には、ディスプレイを起動している間は報知情報を表示し続けることにより報知情報を確実にユーザへ認識させることができる。
【図面の簡単な説明】
【００３７】
【図１】本発明に係る記録再生装置の概念図
【図２】実施形態１に係る記録再生装置の機能ブロック図
【図３】ＩｒＳＳのデータ送信手順を示す図
【図４】方式判断部において伝送方式を判断するための情報の一例図
【図５】制御部のハードウェア上における処理動作の一例図
【図６】実施形態１に係る記録再生装置の処理の流れを示すフロー図
【図７】実施形態２に係る記録再生装置の機能ブロック図
【図８】出力部における出力方法の一例図
【図９】出力部のハードウェア上における処理動作の一例図
【図１０】出力部のハードウェア上における処理動作の一例図
【図１１】実施形態２に係る記録再生装置の処理の流れを示すフロー図
【図１２】実施形態３に係る記録再生装置の機能ブロック図
【図１３】報知部の動作の一例図
【図１４】報知部のハードウェア上における処理動作の一例図
【図１５】実施形態３に係る記録再生装置の処理の流れを示すフロー図
【符号の説明】
【００３８】
０１０１  記録再生装置
０１０２  高速赤外線用受信部
０１０３  携帯電話
０１０４  ディスプレイ
０２００  記録再生装置
０２０１  高速赤外線用受信部
０２０２  方式判断部
０２０３  制御部
【図１】
2008193170.tif 000003
【図２】
2008193170.tif 000004
【図３】
2008193170.tif 000005
【図４】
2008193170.tif 000006
【図５】
2008193170.tif 000007
【図６】
2008193170.tif 000008
【図７】
2008193170.tif 000009
【図８】
2008193170.tif 000010
【図９】
2008193170.tif 000011
【図１０】
2008193170.tif 000012
【図１１】
2008193170.tif 000013
【図１２】
2008193170.tif 000014
【図１３】
2008193170.tif 000015
【図１４】
2008193170.tif 000016
【図１５】
2008193170.tif 000017